【手続補正書】
【提出日】平成19年9月14日(2007.9.14)
【手続補正１】
【補正対象書類名】特許請求の範囲
【補正対象項目名】全文
【補正方法】変更
【補正の内容】
【特許請求の範囲】
【請求項１】
無線ＬＡＮにおけるインフラストラクチャモード及びアドホックモードを有する通信装置であって、
現在の通信モードを判定する判定手段と、
前記通信装置のＩＰアドレスを決定する処理であるアドレッシング処理で用いられるタイムアウト値を第１のタイムアウト値又は第２のタイムアウト値に変更する変更手段とを有し、
前記判定手段により判定された現在の通信モードが前記インフラストラクチャモードである場合、前記変更手段は、前記アドレッシング処理で用いられるタイムアウト値を前記第１のタイムアウト値に変更し、
前記判定手段により判定された現在の通信モードが前記アドホックモードである場合、前記変更手段は、前記アドレッシング処理で用いられるタイムアウト値を前記第２のタイムアウト値に変更することを特徴とする通信装置。
【請求項２】
アクセスポイントを介して外部機器と通信する第１の通信モードと、アクセスポイントを介さずに外部機器と通信する第２の通信モードとを有する通信装置であって、
現在の通信モードを判定する判定手段と、
前記通信装置のＩＰアドレスを決定する処理であるアドレッシング処理で用いられるタイムアウト値を第１のタイムアウト値又は第２のタイムアウト値に変更する変更手段とを有し、
前記判定手段により判定された現在の通信モードが前記第１の通信モードである場合、前記変更手段は、前記アドレッシング処理で用いられるタイムアウト値を前記第１のタイムアウト値に変更し、
前記判定手段により判定された現在の通信モードが前記第２の通信モードである場合、前記変更手段は、前記アドレッシング処理で用いられるタイムアウト値を前記第２のタイムアウト値に変更することを特徴とする通信装置。
【請求項３】
有線による通信を行う有線通信モードと、無線による通信を行う無線通信モードとを有する通信装置であって、
現在の通信モードを判定する判定手段と、
前記通信装置のＩＰアドレスを決定する処理であるアドレッシング処理で用いられるタイムアウト値を第１のタイムアウト値又は第２のタイムアウト値に変更する変更手段とを有し、
前記判定手段により判定された現在の通信モードが前記有線通信モードである場合、前記変更手段は、前記アドレッシング処理で用いられるタイムアウト値を前記第１のタイムアウト値に変更し、
前記判定手段により判定された現在の通信モードが前記無線通信モードである場合、前記変更手段は、前記アドレッシング処理で用いられるタイムアウト値を前記第２のタイムアウト値に変更することを特徴とする通信装置。
【請求項４】
第１の伝送レートで無線通信を行う第１の通信モードと、前記第１の伝送レートと異なる第２の伝送レートで無線通信を行う第２の通信モードとを有する通信装置であって、
現在の通信モードを判定する判定手段と、
前記通信装置のＩＰアドレスを決定する処理であるアドレッシング処理で用いられるタイムアウト値を第１のタイムアウト値又は第２のタイムアウト値に変更する変更手段とを有し、
前記判定手段により判定された現在の通信モードが前記第１の通信モードである場合、前記変更手段は、前記アドレッシング処理で用いられるタイムアウト値を前記第１のタイムアウト値に変更し、
前記判定手段により判定された現在の通信モードが前記第２の通信モードである場合、前記変更手段は、前記アドレッシング処理で用いられるタイムアウト値を前記第２のタイムアウト値に変更することを特徴とする通信装置。
【請求項５】
無線ＬＡＮにおけるインフラストラクチャモード及びアドホックモードを有する通信装置であって、
現在の通信モードを判定する判定手段と、
機器又はサービスを検索する処理であるサーチ処理で用いられるタイムアウト値を第１のタイムアウト値又は第２のタイムアウト値に変更する変更手段とを有し、
前記判定手段により判定された現在の通信モードが前記インフラストラクチャモードである場合、前記変更手段は、前記サーチ処理で用いられるタイムアウト値を前記第１のタイムアウト値に変更し、
前記判定手段により判定された現在の通信モードが前記アドホックモードである場合、前記変更手段は、前記サーチ処理で用いられるタイムアウト値を前記第２のタイムアウト値に変更することを特徴とする通信装置。
【請求項６】
アクセスポイントを介して外部機器と通信する第１の通信モードと、アクセスポイントを介さずに外部機器と通信する第２の通信モードとを有する通信装置であって、
現在の通信モードを判定する判定手段と、
機器又はサービスを検索する処理であるサーチ処理で用いられるタイムアウト値を第１のタイムアウト値又は第２のタイムアウト値に変更する変更手段とを有し、
前記判定手段により判定された現在の通信モードが前記第１の通信モードである場合、前記変更手段は、前記サーチ処理で用いられるタイムアウト値を前記第１のタイムアウト値に変更し、
前記判定手段により判定された現在の通信モードが前記第２の通信モードである場合、前記変更手段は、前記サーチ処理で用いられるタイムアウト値を前記第２のタイムアウト値に変更することを特徴とする通信装置。
【請求項７】
有線による通信を行う有線通信モードと、無線による通信を行う無線通信モードとを有する通信装置であって、
現在の通信モードを判定する判定手段と、
機器又はサービスを検索する処理であるサーチ処理で用いられるタイムアウト値を第１のタイムアウト値又は第２のタイムアウト値に変更する変更手段とを有し、
前記判定手段により判定された現在の通信モードが前記有線通信モードである場合、前記変更手段は、前記サーチ処理で用いられるタイムアウト値を前記第１のタイムアウト値に変更し、
前記判定手段により判定された現在の通信モードが前記無線通信モードである場合、前記変更手段は、前記サーチ処理で用いられるタイムアウト値を前記第２のタイムアウト値に変更することを特徴とする通信装置。
【請求項８】
第１の伝送レートで無線通信を行う第１の通信モードと、前記第１の伝送レートと異なる第２の伝送レートで無線通信を行う第２の通信モードとを有する通信装置であって、
現在の通信モードを判定する判定手段と、
機器又はサービスを検索する処理であるサーチ処理で用いられるタイムアウト値を第１のタイムアウト値又は第２のタイムアウト値に変更する変更手段とを有し、
前記判定手段により判定された現在の通信モードが前記第１の通信モードである場合、前記変更手段は、前記サーチ処理で用いられるタイムアウト値を前記第１のタイムアウト値に変更し、
前記判定手段により判定された現在の通信モードが前記第２の通信モードである場合、前記変更手段は、前記サーチ処理で用いられるタイムアウト値を前記第２のタイムアウト値に変更することを特徴とする通信装置。
【請求項９】
アクセスポイントに接続されている端末の数が所定値以下であるか否かを判定する判定手段と、
機器又はサービスを検索する処理であるサーチ処理で用いられるタイムアウト値を第１のタイムアウト値又は第２のタイムアウト値に変更する変更手段とを有し、
前記アクセスポイントに接続されている端末の数が所定値以下である場合、前記変更手段は、前記サーチ処理で用いられるタイムアウト値を前記第１のタイムアウト値に変更し、
前記アクセスポイントに接続されている端末の数が所定値以下でない場合、前記変更手段は、前記サーチ処理で用いられるタイムアウト値を前記第２のタイムアウト値に変更することを特徴とする通信装置。
【手続補正２】
【補正対象書類名】明細書
【補正対象項目名】発明の名称
【補正方法】変更
【補正の内容】
【発明の名称】通信装置
【手続補正３】
【補正対象書類名】明細書
【補正対象項目名】０００１
【補正方法】変更
【補正の内容】
【０００１】
本発明は、複数の通信モードを有する通信装置に関する。
【手続補正４】
【補正対象書類名】明細書
【補正対象項目名】０００８
【補正方法】変更
【補正の内容】
【０００８】
そこで、本発明は、様々な通信モードに応じてタイムアウト値を変更し、容易に最適な通信制御が可能な通信装置を提供することを目的とする。
【手続補正５】
【補正対象書類名】明細書
【補正対象項目名】０００９
【補正方法】変更
【補正の内容】
【０００９】
本発明に係る通信装置の一つは、無線ＬＡＮにおけるインフラストラクチャモード及びアドホックモードを有する通信装置であって、現在の通信モードを判定する判定手段と、前記通信装置のＩＰアドレスを決定する処理であるアドレッシング処理で用いられるタイムアウト値を第１のタイムアウト値又は第２のタイムアウト値に変更する変更手段とを有し、前記判定手段により判定された現在の通信モードが前記インフラストラクチャモードである場合、前記変更手段は、前記アドレッシング処理で用いられるタイムアウト値を前記第１のタイムアウト値に変更し、前記判定手段により判定された現在の通信モードが前記アドホックモードである場合、前記変更手段は、前記アドレッシング処理で用いられるタイムアウト値を前記第２のタイムアウト値に変更することを特徴とする。
本発明に係る通信装置の一つは、アクセスポイントを介して外部機器と通信する第１の通信モードと、アクセスポイントを介さずに外部機器と通信する第２の通信モードとを有する通信装置であって、現在の通信モードを判定する判定手段と、前記通信装置のＩＰアドレスを決定する処理であるアドレッシング処理で用いられるタイムアウト値を第１のタイムアウト値又は第２のタイムアウト値に変更する変更手段とを有し、前記判定手段により判定された現在の通信モードが前記第１の通信モードである場合、前記変更手段は、前記アドレッシング処理で用いられるタイムアウト値を前記第１のタイムアウト値に変更し、前記判定手段により判定された現在の通信モードが前記第２の通信モードである場合、前記変更手段は、前記アドレッシング処理で用いられるタイムアウト値を前記第２のタイムアウト値に変更することを特徴とする。
本発明に係る通信装置の一つは、有線による通信を行う有線通信モードと、無線による通信を行う無線通信モードとを有する通信装置であって、現在の通信モードを判定する判定手段と、前記通信装置のＩＰアドレスを決定する処理であるアドレッシング処理で用いられるタイムアウト値を第１のタイムアウト値又は第２のタイムアウト値に変更する変更手段とを有し、前記判定手段により判定された現在の通信モードが前記有線通信モードである場合、前記変更手段は、前記アドレッシング処理で用いられるタイムアウト値を前記第１のタイムアウト値に変更し、前記判定手段により判定された現在の通信モードが前記無線通信モードである場合、前記変更手段は、前記アドレッシング処理で用いられるタイムアウト値を前記第２のタイムアウト値に変更することを特徴とする。
本発明に係る通信装置の一つは、第１の伝送レートで無線通信を行う第１の通信モードと、前記第１の伝送レートと異なる第２の伝送レートで無線通信を行う第２の通信モードとを有する通信装置であって、現在の通信モードを判定する判定手段と、前記通信装置のＩＰアドレスを決定する処理であるアドレッシング処理で用いられるタイムアウト値を第１のタイムアウト値又は第２のタイムアウト値に変更する変更手段とを有し、前記判定手段により判定された現在の通信モードが前記第１の通信モードである場合、前記変更手段は、前記アドレッシング処理で用いられるタイムアウト値を前記第１のタイムアウト値に変更し、前記判定手段により判定された現在の通信モードが前記第２の通信モードである場合、前記変更手段は、前記アドレッシング処理で用いられるタイムアウト値を前記第２のタイムアウト値に変更することを特徴とする。
本発明に係る通信装置の一つは、無線ＬＡＮにおけるインフラストラクチャモード及びアドホックモードを有する通信装置であって、現在の通信モードを判定する判定手段と、機器又はサービスを検索する処理であるサーチ処理で用いられるタイムアウト値を第１のタイムアウト値又は第２のタイムアウト値に変更する変更手段とを有し、前記判定手段により判定された現在の通信モードが前記インフラストラクチャモードである場合、前記変更手段は、前記サーチ処理で用いられるタイムアウト値を前記第１のタイムアウト値に変更し、前記判定手段により判定された現在の通信モードが前記アドホックモードである場合、前記変更手段は、前記サーチ処理で用いられるタイムアウト値を前記第２のタイムアウト値に変更することを特徴とする。
本発明に係る通信装置の一つは、アクセスポイントを介して外部機器と通信する第１の通信モードと、アクセスポイントを介さずに外部機器と通信する第２の通信モードとを有する通信装置であって、現在の通信モードを判定する判定手段と、機器又はサービスを検索する処理であるサーチ処理で用いられるタイムアウト値を第１のタイムアウト値又は第２のタイムアウト値に変更する変更手段とを有し、前記判定手段により判定された現在の通信モードが前記第１の通信モードである場合、前記変更手段は、前記サーチ処理で用いられるタイムアウト値を前記第１のタイムアウト値に変更し、前記判定手段により判定された現在の通信モードが前記第２の通信モードである場合、前記変更手段は、前記サーチ処理で用いられるタイムアウト値を前記第２のタイムアウト値に変更することを特徴とする。
本発明に係る通信装置の一つは、有線による通信を行う有線通信モードと、無線による通信を行う無線通信モードとを有する通信装置であって、現在の通信モードを判定する判定手段と、機器又はサービスを検索する処理であるサーチ処理で用いられるタイムアウト値を第１のタイムアウト値又は第２のタイムアウト値に変更する変更手段とを有し、前記判定手段により判定された現在の通信モードが前記有線通信モードである場合、前記変更手段は、前記サーチ処理で用いられるタイムアウト値を前記第１のタイムアウト値に変更し、前記判定手段により判定された現在の通信モードが前記無線通信モードである場合、前記変更手段は、前記サーチ処理で用いられるタイムアウト値を前記第２のタイムアウト値に変更することを特徴とする。
本発明に係る通信装置の一つは、第１の伝送レートで無線通信を行う第１の通信モードと、前記第１の伝送レートと異なる第２の伝送レートで無線通信を行う第２の通信モードとを有する通信装置であって、現在の通信モードを判定する判定手段と、機器又はサービスを検索する処理であるサーチ処理で用いられるタイムアウト値を第１のタイムアウト値又は第２のタイムアウト値に変更する変更手段とを有し、前記判定手段により判定された現在の通信モードが前記第１の通信モードである場合、前記変更手段は、前記サーチ処理で用いられるタイムアウト値を前記第１のタイムアウト値に変更し、前記判定手段により判定された現在の通信モードが前記第２の通信モードである場合、前記変更手段は、前記サーチ処理で用いられるタイムアウト値を前記第２のタイムアウト値に変更することを特徴とする。
本発明に係る通信装置の一つは、アクセスポイントに接続されている端末の数が所定値以下であるか否かを判定する判定手段と、機器又はサービスを検索する処理であるサーチ処理で用いられるタイムアウト値を第１のタイムアウト値又は第２のタイムアウト値に変更する変更手段とを有し、前記アクセスポイントに接続されている端末の数が所定値以下である場合、前記変更手段は、前記サーチ処理で用いられるタイムアウト値を前記第１のタイムアウト値に変更し、前記アクセスポイントに接続されている端末の数が所定値以下でない場合、前記変更手段は、前記サーチ処理で用いられるタイムアウト値を前記第２のタイムアウト値に変更することを特徴とする。
【手続補正６】
【補正対象書類名】明細書
【補正対象項目名】００１０
【補正方法】変更
【補正の内容】
【００１０】
本発明に係る通信装置によれば、様々な通信モードに応じてタイムアウト値を変更することができ、容易に最適な通信制御を行うことができる。
【手続補正７】
【補正対象書類名】明細書
【補正対象項目名】００３４
【補正方法】変更
【補正の内容】
【００３４】
なお、このタイムアウト値リストは撮像装置１０１の出荷時にあらかじめ設定しておいてもよく、ユーザが利用状況にあわせてユーザ自身が設定することも可能であり、アドレッシングのタイムアウト値、周辺機器・サービスのタイムアウト値以外の他の各種タイムアウト値に適用することも可能である。